(57)【要約】      （修正有）【課題】コンプレッサに対して取り付けられる消音器あるいは当該消音器を備える過給機において、温度の高い空気がコンプレッサに供給されることを抑止しかつコンプレッサインペラの翼の過大な振動を防止する。【解決手段】コンプレッサの吸気口４ｂ１を覆って取り付けられる消音器３であって、上記コンプレッサに対して固定される取付部、及び、当該取付部と反対側に設けられると共に上記吸気口と同じ方向に開口された取込口３ａ４を有する筐体と、上記筐体の内部に配置されると共に上記取込口側から見て上記吸気口の全体を覆う形状を有する吸音材３ｂとを備える。【選択図】図１
2015140747.tif 000002
【特許請求の範囲】
【請求項１】
コンプレッサの吸気口を覆って取り付けられる消音器であって、
前記コンプレッサに対して固定される取付部、及び、当該取付部と反対側に設けられると共に前記吸気口と同じ方向に開口された取込口を有する筐体と、
前記筐体の内部に配置されると共に前記取込口側から見て前記吸気口の全体を覆う形状を有する吸音材と
を備えることを特徴とする消音器。
【請求項２】
前記筐体は、前記吸音材が取り付けられると共に前記筐体の内部を前記吸気口側と前記取込口側とに通気可能に区分けする隔壁を備え、
前記吸音材は、前記隔壁の前記取込口側に配置されている
ことを特徴とする請求項１記載の消音器。
【請求項３】
前記隔壁は、前記吸音材を囲って環状に配列されると共に前記吸気口側と前記取込口側とを通気可能とする複数の開口部を有することを特徴とする請求項２記載の消音器。
【請求項４】
前記取込口と前記吸気口とを結ぶ方向から見て、前記取込口は、前記吸気口に重なる位置に設けられると共に前記吸音材より小さい形状を有することを特徴とする請求項１〜３いずれか一項に記載の消音器。
【請求項５】
前記取込口側に底部が配置される有底円筒形状の支持部を有し、当該支持部の内壁面に前記吸音材が取り付けられていることを特徴とする請求項１記載の消音器。
【請求項６】
前記取込口側に先端が向けられる中空の錐形状の支持部を有し、当該支持部の内壁面に前記吸音材が取り付けられていることを特徴とする請求項１記載の消音器。
【請求項７】
前記吸音材を貫通して設けられると共に前記吸気口に向けて散水可能とする注水ノズルを備えることを特徴とする請求項１〜６いずれか一項に記載の消音器。
【請求項８】
コンプレッサインペラに対して当該コンプレッサインペラの軸の延在方向に離れて設けられる吸気口を有するコンプレッサを備える過給機であって、
請求項１〜７いずれか一項に記載の消音器を備えることを特徴とする過給機。
【発明の詳細な説明】
【技術分野】
【０００１】
本発明は、消音器及び過給機に関するものである。
【背景技術】
【０００２】
過給機においては、ハウジングの内部においてインペラが高速回転することによって高周波の音が発生する。特に、舶用等の過給機においては、コンプレッサの吸気口が開放されており、インペラの回転によって生じる音がこの吸気口から直接放射され、大きな騒音となる。消音器は、このような騒音を低減させるためのものであり、吸気口を覆うようにしてコンプレッサに対して取り付けられている。このような消音器は、内部が空気の流れる流路が形成された筐体と、筐体の内部に設けられた吸音材とを備えている。
【０００３】
特許文献１に示すように、一般的には消音器では、上記インペラの径方向外側に向けた開口が筐体に対して形成されており、この開口から筐体の内部に取り込まれた空気がコンプレッサの吸気口に供給される。ところが、過給機においては、コンプレッサの反対側には、高温の排気ガスが供給されるタービンが設けられている。このため、上述のように径方向外側に向けて開口が形成されていると、タービンの周辺において加熱された空気が筐体の内部に流れ込みやすくなる。温度の高い空気は密度が低いため、このような空気がコンプレッサに供給されると、過給機で生成される圧縮空気の密度も低くなり、エンジンにおける燃費が悪化する原因となる。そこで、例えば、特許文献２に示すように、タービンと反対側に向けて開口が形成された消音器を用いることが考えられる。
【先行技術文献】
【特許文献】
【０００４】
【特許文献１】特開平７−１７４０５３号公報
【特許文献２】実開平６−４３２５８号公報
【発明の概要】
【発明が解決しようとする課題】
【０００５】
ところで、特許文献２に開示された消音器では、インペラの軸に沿う方向に長く設けられた吸音材によって空気流に旋回を与える構成であり、必然的に吸音材がインペラの近傍まで延在している。ところが、吸音材の端部では、吸音材の表面から空気流が剥離することによって乱流が形成される。このため、吸音材がインペラの近傍にまで配置されている場合には、空気流が乱流のままインペラに供給されることになり、翼が過大に振動する可能性がある。
【０００６】
本発明は、上述する問題点に鑑みてなされたもので、コンプレッサに対して取り付けられる消音器あるいは当該消音器を備える過給機において、温度の高い空気がコンプレッサに供給されることを抑止しかつインペラの翼の過大な振動を防止することを目的とする。
【課題を解決するための手段】
【０００７】
本発明は、上記課題を解決するための手段として、以下の構成を採用する。
【０００８】
第１の発明は、コンプレッサの吸気口を覆って取り付けられる消音器であって、上記コンプレッサに対して固定される取付部、及び、当該取付部と反対側に設けられると共に上記吸気口と同じ方向に開口された取込口を有する筐体と、上記筐体の内部に配置されると共に上記取込口側から見て上記吸気口の全体を覆う形状を有する吸音材とを備えるという構成を採用する。
【０００９】
第２の発明は、上記第１の発明において、上記吸音材が取り付けられると共に上記筐体の内部を上記吸気口側と上記取込口側とに通気可能に区分けする隔壁を備え、上記吸音材が、上記隔壁の上記取込口側に配置されているという構成を採用する。
【００１０】
第３の発明は、上記第２の発明において、上記隔壁が、上記吸音材を囲って環状に配列されると共に上記吸気口側と上記取込口側とを通気可能とする複数の開口部を有するという構成を採用する。
【００１１】
第４の発明は、上記第１〜第３いずれかの発明において、上記取込口と上記吸気口とを結ぶ方向から見て、上記取込口は、上記吸気口に重なる位置に設けられると共に上記吸音材より小さい形状を有するという構成を採用する。
【００１２】
第５の発明は、上記第１の発明において、上記取込口側に底部が配置される有底円筒形状の支持部を有し、当該支持部の内壁面に上記吸音材が取り付けられているという構成を採用する。
【００１３】
第６の発明は、上記第１の発明において、上記取込口側に先端が向けられる中空の錐形状の支持部を有し、当該支持部の内壁面に上記吸音材が取り付けられているという構成を採用する。
【００１４】
第７の発明は、上記第１〜第６いずれかの発明において、上記吸音材を貫通して設けられると共に上記吸気口に向けて散水可能とする注水ノズルを備えるという構成を採用する。
【００１５】
第８の発明は、コンプレッサインペラに対して当該コンプレッサインペラの軸の延在方向に離れて設けられる吸気口を有するコンプレッサを備える過給機であって、上記第１〜第７いずれの発明である消音器を備えるという構成を採用する。
【発明の効果】
【００１６】
本発明によれば、コンプレッサに固定される取付部の反対側にコンプレッサの吸気口と同じ方向に向けて開口された取込口を有していることから、温度の低い空気を取り込むことができる。また、本発明によれば、取込口側から見て吸気口の全体を覆う形状を有する吸音材を備えている。このため、吸音材をコンプレッサインペラに近づけなくとも、コンプレッサの吸気口から放射される音が反射することなく直接取込口から漏れることを防止することができ、コンプレッサインペラに乱流状態の空気が供給されることを防止することができる。したがって、本発明によれば、コンプレッサに対して取り付けられる消音器あるいは当該消音器を備える過給機において、温度の高い空気がコンプレッサに供給されることを抑止しかつインペラの翼の過大な振動を防止することが可能となる。
【図面の簡単な説明】
【００１７】
【図１】本発明の第１実施形態である消音器を備える過給機の概略構成を模式的に示す縦断面図である。
【図２】（ａ）がコンプレッサインペラの軸の延在方向から見た第１実施形態の消音器の正面図であり、（ｂ）が図１のＡ−Ａ断面図である。
【図３】本発明の第２実施形態である消音器を備える過給機の概略構成を模式的に示す縦断面図である。
【図４】（ａ）がコンプレッサインペラの軸の延在方向である軸方向から見た第２実施形態の消音器の正面図であり、（ｂ）がフィルタを取り除いた正面図である。
【図５】本発明の第３実施形態である消音器を備える過給機の概略構成を模式的に示す縦断面図である。
【図６】（ａ）がコンプレッサインペラの軸の延在方向である軸方向から見た第３実施形態の消音器の正面図であり、（ｂ）がフィルタを取り除いた正面図である。
【図７】本発明の第４実施形態である消音器を備える過給機の概略構成を模式的に示す縦断面図である。
【図８】本発明の第５実施形態である消音器を備える過給機の概略構成を模式的に示す縦断面図である。
【発明を実施するための形態】
【００１８】
以下、図面を参照して、本発明に係る消音器及び過給機の一実施形態について説明する。なお、以下の図面において、各部材を認識可能な大きさとするために、各部材の縮尺を適宜変更している。
【００１９】
（第１実施形態）
図１は、本発明の第１実施形態である消音器３を備える過給機１の概略構成を模式的に示す縦断面図である。なお、図１においては、消音器３の内部流路が認識し易いよう、後述する開口部３ａ５を通る断面（図２（ｂ）のＢ−Ｂ断面）を図示している。
【００２０】
図１に示すように、過給機１は、過給機本体２と、消音器３とを備えている。過給機本体２は、コンプレッサ４とタービン５と軸部６とを備えている。コンプレッサ４は、空気を圧送するコンプレッサインペラ４ａと、このコンプレッサインペラ４ａを囲うコンプレッサハウジング４ｂとを備えている。
【００２１】
コンプレッサインペラ４ａは、いわゆるラジアルインペラであり、軸Ｌを中心として回転駆動される。コンプレッサハウジング４ｂは、コンプレッサインペラ４ａを収容すると共に、コンプレッサインペラ４ａの収容空間に連通する吸気口４ｂ１及びスクロール流路４ｂ２を備えている。吸気口４ｂ１は、図１に示すように、コンプレッサインペラ４ａに対して軸Ｌの延在方向（以下、軸方向と称する）に離間し、開口面が軸Ｌと直交するように設けられた略円形の開口である。スクロール流路４ｂ２は、コンプレッサインペラ４ａの径方向外側にて巻回される流路である。
【００２２】
このようなコンプレッサ４では、コンプレッサインペラ４ａが回転駆動されることによって、空気が吸気口４ｂ１からコンプレッサハウジング４ｂ内に取り込まれ、取り込まれた空気がコンプレッサインペラ４ａによってスクロール流路４ｂ２側に圧送される。スクロール流路４ｂ２側に圧送された空気は、減速されることでさらに昇圧され、スクロール流路４ｂ２を通じて外部に吐出される。
【００２３】
タービン５は、外部から供給される排気ガスによって回転駆動されるタービンインペラ５ａと、このタービンインペラ５ａを囲うと共に内部に排気ガスが通る流路が形成されたタービンハウジング５ｂとを備えている。軸部６は、コンプレッサインペラ４ａとタービンインペラ５ａとを連結してタービンインペラ５ａで生成された回転動力をコンプレッサインペラ４ａに伝達するシャフト６ａと、このシャフト６ａを囲うと共にコンプレッサハウジング４ｂ及びタービンハウジング５ｂと接続されるシャフトハウジング６ｂとを備えている。
【００２４】
このような過給機本体２によれば、タービン５に外部のエンジンから排気ガスが供給されることによって回転動力が生成され、この回転動力がシャフト６ａを通じてコンプレッサ４に伝達され、コンプレッサ４にて回転動力によって空気が圧縮されてエンジンに供給される。
【００２５】
図２は、（ａ）が上記軸方向から見た本実施形態の消音器３の正面図であり、（ｂ）が図１のＡ−Ａ断面図である。図１及び図２に示すように、本実施形態の消音器３は、筐体３ａと、吸音材３ｂと、フィルタ３ｃとを備えている。
【００２６】
筐体３ａは、底板３ａ１と、側板３ａ２と、隔壁３ａ３からなる略有底円筒形とされている。底板３ａ１の中央部には、フィルタ３ｃが設置される円形の取込口３ａ４が形成されている。この筐体３ａは、底板３ａ１と反対側がコンプレッサ４に対して固定される取付部３ａａとされており、このファンネル３ａｂを有する取付部３ａａをコンプレッサハウジング４ｂに当接させた状態で、コンプレッサハウジング４ｂに対してボルト等で固定されている。このように筐体３ａがコンプレッサハウジング４ｂに固定されることによって、取込口３ａ４がコンプレッサ４の吸気口４ｂ１に対して上記軸方向に離れかつ吸気口４ｂ１と同じ方向に向けて開口される。このような取込口３ａ４は、上記軸方向から見て、吸気口４ｂ１と同心状に配置されている。
【００２７】
隔壁３ａ３は、筐体３ａの内部に収容されており、図１に示すように、上記軸方向の中央部に配置されている。この隔壁３ａ３は、底板３ａ１と同様に上記軸方向から見た形状が円形の板状部材であり、筐体３ａの内部を、コンプレッサ４の吸気口４ｂ１側の吸気口側領域Ｒａと、取込口３ａ４側の取込口側領域Ｒｂとに区分けしている。この隔壁３ａ３には、図２（ｂ）に示すように、隔壁３ａ３の縁部に沿って、複数の開口部３ａ５が環状に配列されており、これらの開口部３ａ５によって吸気口側領域Ｒａと取込口側領域Ｒｂとが通気可能とされている。
【００２８】
吸音材３ｂは、筐体３ａの内部に配置され、音を吸収する多孔質材料からなる。本実施形態の消音器３では、この吸音材３ｂとして、隔壁３ａ３に対して設けられる中央吸音材３ｂ１と、筐体３ａの内壁面に対して設けられる内壁面吸音材３ｂ２とが設けられている。中央吸音材３ｂ１は、図２（ｂ）に示すように、開口部３ａ５に囲まれるようにして隔壁３ａ３の中央に設置されている。この中央吸音材３ｂ１は、本発明における吸音材に相当し、上記軸方向から見て（すなわち取込口３ａ４側から見て）、コンプレッサ４の吸気口４ｂ１と同心円状に配置されかつ吸気口４ｂ１の全体を覆う円形状に形状設定されている。また、本実施形態において、中央吸音材３ｂ１は、隔壁３ａ３の取込口３ａ４側の面に、つまりコンプレッサ４の吸気口４ｂ１から見て隔壁３ａ３の裏面側に取り付けられている。内壁面吸音材３ｂ２は、筐体３ａの底板３ａ１と側板３ａ２との表面に設けられており、筐体３ａの内側に配置されている。
【００２９】
フィルタ３ｃは、筐体３ａの底板３ａ１に設けられた取込口３ａ４と同様の円形状とされており、この取込口３ａ４に取り付けられている。このようなフィルタ３ｃは、取込口３ａ４を通過する空気に含まれる異物を除去する。
【００３０】
このような消音器３は、上述のようにして過給機本体２が駆動されてコンプレッサインペラ４ａが回転駆動することで発生する音を吸音材３ｂで吸収することによって、この音が外部に漏れて騒音となることを防止する。
【００３１】
ここで、本実施形態の消音器３においては、コンプレッサ４の吸気口４ｂ１に対して、上記軸方向に離れかつ吸気口４ｂ１と同じ方向に向けて開口された取込口３ａ４を有している。このため、コンプレッサインペラ４ａの径方向外側に向けて開口される取込口を設ける場合と比較して、取込口３ａ４をタービン５から遠ざけて配置することができる。このため、コンプレッサインペラ４ａの径方向外側に向けて開口される取込口から筐体３ａの内部に空気を取り込む場合と比較して、温度の低い空気を取り込むことができる。
【００３２】
また、本実施形態の消音器３においては、上記軸方向から見て吸気口４ｂ１の全体を覆う形状を有する中央吸音材３ｂ１を備えている。このため、吸気口４ｂ１から出た音が、反射することなく直接的に取込口３ａ４を通過することを防止することができる。つまり、本実施形態の消音器３によれば、隔壁３ａ３を通過して直線状に取込口３ａ４に向けて進行する音は、中央吸音材３ｂ１に吸収される。このような本実施形態の消音器３によれば、中央吸音材３ｂ１を特許文献２のようにコンプレッサインペラ４ａに近づけなくとも、コンプレッサ４の吸気口４ｂ１から放射される音が反射することなく直接的に取込口３ａ４から漏れることを防止することができる。したがって、中央吸音材３ｂ１の近傍を空気流が通過することで形成された乱流が、乱れが強いままコンプレッサインペラ４ａに供給されてコンプレッサインペラ４ａの翼の過大な振動が発生することを防止することができる。つまり、本実施形態の消音器３では、空気流の乱れが収まってから、当該空気流がコンプレッサインペラ４ａに供給される。
【００３３】
このように、本実施形態の消音器３によれば、温度の高い空気がコンプレッサ４に供給されることを抑止しかつコンプレッサインペラ４ａの翼の過大な振動を防止することが可能となる。
【００３４】
また、本実施形態の消音器３においては、中央吸音材３ｂ１が取り付けられると共に筐体３ａの内部を吸気口側と取込口側とに通気可能に区分けする隔壁３ａ３を備え、中央吸音材３ｂ１が隔壁３ａ３の取込口３ａ４側に配置されている。このため、中央吸音材３ｂ１を、隔壁３ａ３の吸気口４ｂ１側に設ける場合よりもさらにコンプレッサインペラ４ａから遠ざけることができる。したがって、コンプレッサインペラ４ａの翼の過大な振動をより確実に防止することが可能となる。
【００３５】
また、本実施形態の消音器３においては、隔壁３ａ３が、中央吸音材３ｂ１を囲って環状に配列されると共に吸気口４ｂ１側と取込口３ａ４側とを通気可能とする複数の開口部３ａ５を有する。このような構成を採用することによって、開口部３ａ５同士の間に開口部が形成されていない部位が形成され、この部位を側板３ａ２と接続することができる。このため、中央吸音材３ｂ１を支持する隔壁３ａ３の強度を高め、中央吸音材３ｂ１を安定して支持することが可能となる。
【００３６】
また、本実施形態の消音器３においては、上記軸方向から見て、取込口３ａ４が、吸気口４ｂ１に重なる位置に設けられると共に中央吸音材３ｂ１より小さい形状を有する。これによって、図１の矢印で示すように、取込口３ａ４から筐体３ａの内部に流入した空気が必ず中央吸音材３ｂ１に当たって方向変換する。このように筐体３ａ内に流入した空気流が必ず方向変換することによって、吸気口４ｂ１から出た音が直線的に取込口３ａ４まで伝播することを確実に防ぐことができる。したがって、このような構成を採用する本実施形態の消音器３によれば、吸気口４ｂ１から出た音が、反射することなく直接的に取込口３ａ４を通過することを確実に防止することができる。
【００３７】
（第２実施形態）
次に、本発明の第２実施形態について説明する。なお、本実施形態においては、上記第１実施形態と同様の部分については、その説明を省略あるいは簡略化する。
【００３８】
図３は、本発明の第２実施形態である消音器３Ａを備える過給機１Ａの概略構成を模式的に示す断面図である。なお、図３においては、消音器３Ａの内部流路が認識し易いよう、後述する取込口３ａ６を通る断面（図４（ｂ）のＣ−Ｃ断面）を図示している。また、図４は、（ａ）がコンプレッサインペラ４ａの軸の延在方向である軸方向から見た本実施形態の消音器３Ａの正面図であり、（ｂ）が後述するフィルタ３ｆを取り除いた正面図である。
【００３９】
本実施形態の消音器３Ａは、これらの図に示すように、一端側が開放端とされると共に他端側が閉塞端とされる有底円筒形状の支持部３ｄを備えている。この支持部３ｄは、上記軸方向から見て筐体３ａの側板３ａ２よりも小径とされており、開放端を吸気口４ｂ１に向けて配置されている。なお、本実施形態においては筐体３ａの底板３ａ１は設置されておらず、この底板３ａ１の位置に底部が重なるように支持部３ｄが配置されている。このような支持部３ｄは、図４（ｂ）に示すように、環状に配列された複数の連結部３ｅによって側板３ａ２に固定されることで支持されている。
【００４０】
このような支持部３ｄと筐体３ａの側板３ａ２との間には隙間が設けられ、この隙間が本実施形態において、筐体３ａの内部に空気を取り込むための取込口３ａ６となっている。また、この取込口３ａ６には、取込口３ａ６を通過する空気に含まれる異物を除去する環状のフィルタ３ｆが取り付けられている。
【００４１】
また、支持部３ｄの内壁面である底部の表面には、中央吸音材３ｂ１が設置されている。さらに、支持部３ｄの側壁の内面にも、側部吸音材３ｂ３が設置されている。
【００４２】
このような本実施形態の消音器３Ａ及び過給機１Ａにおいても、取込口３ａ６が、コンプレッサ４の吸気口４ｂ１に対して、上記軸方向に離れかつ吸気口４ｂ１と同じ方向に向けて開口されており、温度の低い空気を取り込むことができる。また、上記軸方向から見て吸気口４ｂ１の全体を覆う形状を有する中央吸音材３ｂ１を備えており、中央吸音材３ｂ１を支持する支持部３ｄをコンプレッサインペラ４ａに近づけなくとも、コンプレッサ４の吸気口４ｂ１から放射される音が反射することなく直接的に取込口３ａ６から漏れることを防止することができる。したがって、温度の高い空気がコンプレッサ４に供給されることを抑止しかつコンプレッサインペラ４ａの翼の過大な振動を防止することが可能となる。
【００４３】
さらに、本実施形態の消音器３Ａにおいては、取込口３ａ６側に底部が配置される有底円筒形状の支持部３ｄを有し、この支持部３ｄの内壁面に中央吸音材３ｂ１及び側部吸音材３ｂ３が取り付けられている。このため、例えば、中央吸音材３ｂ１に吸収されずに反射した音を側部吸音材３ｂ３で吸収することができるため、筐体３ａの外部に音が漏れることをより確実に防止し、より騒音の低減を図ることが可能となる。
【００４４】
（第３実施形態）
次に、本発明の第３実施形態について説明する。なお、本実施形態においても、上記第１実施形態と同様の部分については、その説明を省略あるいは簡略化する。
【００４５】
図５は、本発明の第３実施形態である消音器３Ｂを備える過給機１Ｂの概略構成を模式的に示す断面図である。なお、図５においては、消音器３Ｂの内部流路が認識し易いよう、後述する連結部３ｉを避けて通る断面（図６（ｂ）のＤ−Ｄ断面）を図示している。また、図６は、（ａ）がコンプレッサインペラ４ａの軸の延在方向である軸方向から見た本実施形態の消音器３Ｂの正面図であり、（ｂ）が後述するフィルタ３ｇを取り除いた正面図である。
【００４６】
本実施形態の消音器３Ｂは、これらの図に示すように、筐体３ａが底板３ａ１を備えておらず、底板３ａ１が存在していた側が開放端とされている。本実施形態においては、筐体３ａの当該開放端が筐体３ａ内に空気を取り込むための取込口３ａ７とされている。このような取込口３ａ７には、取込口３ａ７を通過する空気に含まれる異物を除去する円形のフィルタ３ｇが取り付けられている。
【００４７】
また、本実施形態の消音器３Ｂは、取込口３ａ７側に先端が向けられる中空の錐形状の支持部３ｈを備えている。この支持部３ｈは、上記軸方向から見て筐体３ａの側板３ａ２よりも小径とされており、開放端を吸気口４ｂ１に向けて配置されている。このような支持部３ｈは、図６（ｂ）に示すように、環状に配列された複数の連結部３ｉによって側板３ａ２に固定されることで支持されている。
【００４８】
また、支持部３ｈの内壁面には、中央吸音材３ｂ４が取り付けられている。この中央吸音材３ｂ４は、上記第１実施形態及び上記第２実施形態の中央吸音材３ｂ１と同様に、上記軸方向から見て吸気口４ｂ１の全体を覆う形状を有している。
【００４９】
このような本実施形態の消音器３Ｂ及び過給機１Ｂにおいても、取込口３ａ７が、コンプレッサ４の吸気口４ｂ１に対して、上記軸方向に離れかつ吸気口４ｂ１と同じ方向に向けて開口されており、温度の低い空気を取り込むことができる。また、上記軸方向から見て吸気口４ｂ１の全体を覆う形状を有する中央吸音材３ｂ４を備えており、中央吸音材３ｂ４を支持する支持部３ｈをコンプレッサインペラ４ａに近づけなくとも、コンプレッサ４の吸気口４ｂ１から放射される音が反射することなく直接的に取込口３ａ７から漏れることを防止することができる。したがって、温度の高い空気がコンプレッサ４に供給されることを抑止しかつコンプレッサインペラ４ａの翼の過大な振動を防止することが可能となる。
【００５０】
さらに、本実施形態の消音器３Ｂにおいては、取込口３ａ７側に先端が向けられる中空の錐形状の支持部３ｈを有し、この支持部３ｈの内壁面に中央吸音材３ｂ４が取り付けられている。このため、中央吸音材３ｂ４が取込口３ａ７側に向かうに連れて窄む漏斗形状となり、支持部３ｈの内部に入り込んだ音が反射して外部に戻ることを抑止し、効率的に吸音することが可能となる。
【００５１】
（第４実施形態）
次に、本発明の第４実施形態について説明する。なお、本実施形態においても、上記第１実施形態と同様の部分については、その説明を省略あるいは簡略化する。
【００５２】
図７は、本発明の第４実施形態である消音器３Ｃを備える過給機１Ｃの概略構成を模式的に示す縦断面図である。なお、図７においては、消音器３Ｃの内部流路が認識し易いよう、開口部３ａ５を通る断面を図示している。
【００５３】
この図に示すように、本実施形態の消音器３Ｃは、フィルタ３ｃ及び中央吸音材３ｂ１を貫通して設けられる注水ノズル３ｊを備えている。この注水ノズル３ｊは、コンプレッサインペラ４ａの洗浄を行うときに、消音器３Ｃの外部からコンプレッサインペラ４ａに向けて容易に散水可能とするものである。
【００５４】
このような本実施形態の消音器３Ｃ及び過給機１Ｃによれば、注水ノズル３ｊを備えることにより、消音器３Ｃをコンプレッサハウジング４ｂから取り外すことなくコンプレッサインペラ４ａを洗浄することが可能となる。
【００５５】
（第５実施形態）
次に、本発明の第５実施形態について説明する。なお、本実施形態においても、上記第１実施形態と同様の部分については、その説明を省略あるいは簡略化する。
【００５６】
図８は、本発明の第５実施形態である消音器３Ｄを備える過給機１Ｄの概略構成を模式的に示す縦断面図である。この図に示すように、本実施形態の消音器３Ｄは、第１パーツ３Ｄ１と第２パーツ３Ｄ２とを備えている。第１パーツ３Ｄ１は、軸方向から見て吸気口４ｂ１の全体を覆う形状を有する中央吸音材３ｂ５と、コンプレッサインペラ４ａの径方向に開口された開口部３ａ８を有する筐体３ａ９とを備えている。なお、開口部３ａ８には、フィルタ３ｋが設けられている。
【００５７】
第２パーツ３Ｄ２は、第１パーツ３Ｄ１の開口部３ａ８を覆うように第１パーツ３Ｄ１の外側に取り付けられた筐体３ａ１０と、筐体３ａ１０の内部に設けられる吸音材３ｂ６とを備えている。筐体３ａ１０は、コンプレッサ４の吸気口４ｂ１に対して、上記軸方向に離れかつ吸気口４ｂ１と同じ方向に向けて開口された取込口３ａ１１を有している。この筐体３ａ１０の上記軸方向から見た形状は、円形であっても良いし、矩形であっても良いし、例えば六角形などの多角形でも良い。また、他部品との干渉を防ぐために、一部を凹ませる形状としても良い。
【００５８】
このような本実施形態の消音器３Ｄによれば、コンプレッサインペラ４ａの径方向外側に向けて開口される取込口を設ける場合と比較して、取込口３ａ１１をタービン５から遠ざけて配置することができる。このため、温度の低い空気を取り込むことができる。
【００５９】
さらに、本実施形態の消音器３Ｄにおいては、第１パーツ３Ｄ１として、径方向外側に向けて開口された取込口を有する従来の消音器を用いることができる。このため、このような従来の消音器に対して第２パーツ３Ｄ２を取り付けることによって、容易に本実施形態の消音器３Ｄを形成することができる。
【００６０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６１】
例えば、上記実施形態においては、取込口３ａ４、取込口３ａ６及び取込口３ａ７から、吸気口４ｂ１が視認できない、すなわち取込口３ａ４、取込口３ａ６及び取込口３ａ７から吸気口４ｂ１に到達する直線状の空間が存在しない構成を採用しており、これによって音が漏れることをより確実に防止できる構成とされている。しかしながら、本発明はこれに限定されるものではなく、一部において取込口３ａ４、取込口３ａ６及び取込口３ａ７から吸気口４ｂ１が視認できるような構成を採用しても良い。このような場合であっても、温度の高い空気がコンプレッサ４に供給されることを抑止しかつコンプレッサインペラ４ａの翼の過大な振動を防止するという効果を奏する。
【００６２】
また、例えば、上記実施形態においては、取込口３ａ４、取込口３ａ６及び取込口３ａ７が単なる開口である構成について説明した。しかしながら、本発明はこれに限定されるものではなく、例えば、複数のパンチング孔や複数のスリットによって取込口を形成することも可能である。このような構成を採用することによって、取込口が設けられる部材の強度を高めることが可能となる。
【符号の説明】
【００６３】
１……過給機、１Ａ……過給機、１Ｂ……過給機、１Ｃ……過給機、２……過給機本体、３……消音器、３ａ……筐体、３ａａ……取付部、３ａｂ……ファンネル、３Ａ……消音器、３ａ１……底板、３ａ２……側板、３ａ３……隔壁、３ａ４……取込口、３ａ５……開口部、３ａ６……取込口、３ａ７……取込口、３ａ８……開口部、３ａ９……筐体、３ａ１０……筐体、３ａ１１……取込口、３ｂ……吸音材、３Ｂ……消音器、３ｂ１……中央吸音材、３ｂ２……内壁面吸音材、３ｂ３……側部吸音材、３ｂ４……中央吸音材、３ｂ５……中央吸音材、３ｂ６……吸音材、３ｃ……フィルタ、３Ｃ……消音器、３ｄ……支持部、３ｅ……連結部、３ｆ……フィルタ、３ｇ……フィルタ、３ｈ……支持部、３ｉ……連結部、３ｊ……注水ノズル、３ｋ……フィルタ、４……コンプレッサ、４ａ……コンプレッサインペラ、４ｂ……コンプレッサハウジング、４ｂ１……吸気口、４ｂ２……スクロール流路、５……タービン、５ａ……タービンインペラ、５ｂ……タービンハウジング、６……軸部、６ａ……シャフト、６ｂ……シャフトハウジング、Ｌ……軸、Ｒａ……吸気口側領域、Ｒｂ……取込口側領域
【図１】
2015140747.tif 000003
【図２】
2015140747.tif 000004
【図３】
2015140747.tif 000005
【図４】
2015140747.tif 000006
【図５】
2015140747.tif 000007
【図６】
2015140747.tif 000008
【図７】
2015140747.tif 000009
【図８】
2015140747.tif 000010